(57)【要約】【課題】表示装置を提供する。【解決手段】表示装置は光を発生するバックライト装置及び前記光を受信して画像を表示する表示パネルを含み、バックライト装置は、駆動電圧を出力する駆動回路及び各々が第１端子を通じて前記駆動電圧を受信し、第２端子を通じて基準電圧を受信して光を発生するｐ（２以上の自然数）個の光源ブロックを含む。前記ｐ個の光源ブロックは少なくとも２つ以上の光源ブロックにグルーピングされた複数のグループからなり、前記駆動回路は前記光源ブロックの第１端子に前記駆動電圧を印加する第１スイッチング部及び前記光源ブロックのうちの少なくとも１つの光源ブロックの前記第２端子に前記基準電圧を印加する第２スイッチング部を含む。したがって、表示装置は光源ブロックに接続される配線数及び駆動回路に具備される回路素子の個数を減少させることができる。【選択図】図１
2011237777.tif 000002
【特許請求の範囲】
【請求項１】
光を発生するバックライト装置と、
前記光を受信して画像を表示する表示パネルと、を有し、
前記バックライト装置は、
駆動電圧と基準電圧を出力する駆動回路と、
前記駆動回路に接続されたｐ（２以上の自然数）個の光源ブロックと、を含み、
前記光源ブロックは第１端子を通じて前記駆動電圧を受信し、第２端子を通じて基準電圧を受信して光を発生し、
前記ｐ個の光源ブロックは複数のグループに分割され、各グループは少なくとも２つの光源ブロックを含み、
前記駆動回路は、
前記ｐ個の光源ブロックの第１端子に前記駆動電圧を印加する第１スイッチング部と、
前記ｐ個の光源ブロックのうちの少なくとも１つの光源ブロックの前記第２端子に前記基準電圧を印加する第２スイッチング部と、を含むことを特徴とする表示装置。
【請求項２】
前記第１スイッチング部は互いに共通接続されたｎ（１以上の自然数）個のスイッチング素子を含み、前記スイッチング素子は対応するグループの前記少なくとも２つの光源ブロックの第１端子に接続され、
前記第２スイッチング部は互いに共通接続されたｍ（１以上の自然数）個のスイッチング素子を含み、前記スイッチング素子は各グループの前記少なくとも２つの光源ブロックの第２端子のうちの少なくとも１つに接続されることを特徴とする請求項１に記載の表示装置。
【請求項３】
前記光源ブロックは前記第１端子に接続されたｍ個のスイッチング素子のうちで対応するスイッチング素子及び前記第２端子に接続されたスイッチング素子のうちで対応するスイッチング素子がターンオンする時に発光することを特徴とする請求項２に記載の表示装置。
【請求項４】
前記ｎと前記ｍを足した値は前記ｐより小さいことを特徴とする請求項２に記載の表示装置。
【請求項５】
前記ｎと前記ｍは掛けて前記ｐになる約数のうち、足した時最も小さい値を有する２つの数で各々構成されることを特徴とする請求項２に記載の表示装置。
【請求項６】
前記駆動回路は、前記ｎ個のスイッチング素子にｎ個の第１制御信号を各々供給し、前記ｍ個のスイッチング素子にｍ個の第２制御信号を各々供給することを特徴とする請求項２に記載の表示装置。
【請求項７】
前記ｎ個の制御信号のうちで対応する第１制御信号のハイレベル区間と前記ｍ個の制御信号のうちで対応する第２制御信号のハイレベル区間は所定時間の間互いに重畳し、
前記第１及び第２制御信号を受信する光源ブロックのターンオン区間は前記第１及び第２信号のハイレベル区間のオーバーラップ区間によって決められることを特徴とする請求項６に記載の表示装置。
【請求項８】
前記ｎ個の制御信号は前記ん個のスイッチング素子に各々同時に印加され、前記ｍ個の制御信号は１つのディミングフレーム単位で前記ｍ個のスイッチング素子に各々順次に印加されることを特徴とする請求項７に記載の表示装置。
【請求項９】
前記光源ブロックが実装される印刷回路基板をさらに含み、前記印刷回路基板には前記光源ブロックの前記第１端子に前記駆動電圧を供給するｑ（１以上の自然数）個の接続配線、及び前記光源ブロックのうちの少なくとも１つの光源ブロックの前記第２端子に前記基準電圧を供給するｒ（１以上の自然数）個の接続配線が具備され、
前記ｑとｒを足した値は前記ｐより小さいことを特徴とする請求項２に記載の表示装置。
【請求項１０】
前記ｑと前記ｒは掛けて前記ｐになる約数のうち、足した時最も小さい値を有する２つの数で各々構成されることを特徴とする請求項９に記載の表示装置。
【請求項１１】
前記印刷回路基板は両面印刷回路基板からなり、
前記ｑ個の接続配線の各々と前記ｒ個の接続配線の各々は前記印刷回路基板の少なくとも一面上に配置されることを特徴とする請求項９に記載の表示装置。
【請求項１２】
前記印刷回路基板の前記ｑ個の接続配線を前記第１スイッチング部に接続させ、前記印刷回路基板の前記ｒ個の接続配線を前記第２スイッチング部に接続させるコネクタをさらに含むことを特徴とする請求項９に記載の表示装置。
【請求項１３】
少なくとも一側面を通じて前記バックライト装置から出射された前記光を受信して、出射面を通じて出射する導光板をさらに含むことを特徴とする請求項９に記載の表示装置。
【請求項１４】
前記バックライト装置は前記印刷回路基板の上面に具備された複数の発光ダイオードをさらに含み、
前記発光ダイオードの各々の発光面は前記発光ダイオードが実装される前記印刷回路基板の上面に垂直であることを特徴とする請求項１３に記載の表示装置。
【請求項１５】
前記バックライト装置は前記印刷回路基板の上面に具備された複数の発光ダイオードをさらに含み、
前記発光ダイオードの各々の発光面は前記発光ダイオードが実装される前記印刷回路基板の上面と平行であることを特徴とする請求項１３に記載の表示装置。
【請求項１６】
前記表示パネルは前記ｐ個の光源ブロックと対応する複数のディミング領域に区分され、前記ｐ個の光源ブロックの各々の輝度は対応するディミング領域の輝度代表値によって調節されることを特徴とする請求項１に記載の表示装置。
【請求項１７】
前記表示パネルに画像信号を供給するタイミングコントローラをさらに含み、
前記タイミングコントローラは、
前記画像信号に基づいて前記複数のディミング領域のうちで各ディミング領域の代表輝度値を算出及び決める代表値決定部と、
前記代表輝度値を償って前記各ディミング領域の輝度補償値を算出する代表値補償部と、
前記輝度補償値に基づいて前記各ディミング領域に供給される前記画像信号を補正するピクセル補正部と、を含むことを特徴とする請求項１６に記載の表示装置。
【請求項１８】
前記ピクセル補正部は前記各光源ブロックの目標ディミングレベルと実際ディミングレベルとを比較し、互いに異なる場合、実際ディミングレベルと目標ディミングレベルとの差値によって前記各ディミング領域に供給される前記画像信号を補正することを特徴とする請求項１７に記載の表示装置。
【発明の詳細な説明】
【技術分野】
【０００１】
本発明は、表示装置に係り、より詳しくは、部品数及び配線数を減少させることができる表示装置に関する。
【背景技術】
【０００２】
液晶表示装置は画像を表示する液晶表示パネル及び液晶表示パネルの下部に具備され、液晶表示パネルに光を供給するバックライトユニットからなる。一般的に、バックライトユニットには冷陰極蛍光ランプ（Ｃｏｌｄ  Ｃａｔｈｏｄｅ  Ｆｌｕｏｒｅｓｃｅｎｔ  Ｌａｍｐ）が主に用いられている。
【０００３】
しかし、最近バックライトユニットは電力消耗量を減らし、且つ色再現性を向上させるために冷陰極蛍光ランプの代わりに発光ダイオードを光源として採用している。発光ダイオードを光源として採用するＬＥＤバックライトユニットは複数の発光ブロックからなり、各発光ブロックは直列接続された複数の発光ダイオードからなる。
【０００４】
また、ＬＥＤバックライトユニットは発光ダイオードの位置によってエッジ型及び直下型に区分される。最近、液晶表示装置の軽量化及びスリム化によってエッジ型ＬＥＤバックライトユニットが広く使われている。
【先行技術文献】
【特許文献】
【０００５】
【特許文献１】韓国特許公開第２００８−００２３８１２号公報
【発明の概要】
【発明が解決しようとする課題】
【０００６】
本発明の目的は、部品数及び配線数を減少させるための表示装置を提供することにある。
【課題を解決するための手段】
【０００７】
本発明に係る表示装置は、光を発生するバックライト装置及び前記光を受信して画像を表示する表示パネルを有する。前記バックライト装置は駆動電圧と基準電圧を出力する駆動回路及び駆動回路に接続されたｐ（２以上の自然数）個の光源ブロックを含む。前記光源ブロックは第１端子を通じて前記駆動電圧を受信し、第２端子を通じて基準電圧を受信して光を発生する。
【０００８】
前記ｐ個の光源ブロックは複数のグループに分割され、複数のグループの各々は少なくとも２つの光源ブロックを含む。前記駆動回路は前記ｐ個の光源ブロックの第１端子に前記駆動電圧を印加する第１スイッチング部及び前記ｐ個の光源ブロックのうちの少なくとも１つの光源ブロックの前記第２端子に前記基準電圧を印加する第２スイッチング部を含む。
【発明の効果】
【０００９】
このような表示装置によれば、複数の光源ブロックのターンオン区間を制御するスイッチング素子の個数を光源ブロックの個数より減少させることによって、バックライト装置の全体的な部品数を減少させることができる。
【００１０】
また、スイッチング素子の個数の減少によって、光源ブロックが実装される印刷回路基板に具備される接続配線の個数を減少させることができ、その結果、印刷回路基板の全体幅を減らすことができる。
【図面の簡単な説明】
【００１１】
【図１】本発明の一実施形態に係るバックライト装置の回路図である。
【図２】図１に示した第１〜第６スイッチング素子と第１〜第９光源ブロックとの接続関係を示す図である。
【図３】図２に示した第１〜第６制御信号の各々のハイ区間による第１〜第９光源ブロックのターンオン区間を示すタイミング図である。
【図４】本発明の他の実施形態に係るバックライト装置の回路図である。
【図５】図４に示した第１〜第７スイッチング素子と第１〜第１２光源ブロックとの接続関係を示す図である。
【図６】図１に示した光源ユニットの平面図である。
【図７】本発明の他の実施形態に係る光源ユニットの平面図である。
【図８】図７に示したＩ部分の断面図である。
【図９】本発明の一実施形態に係るバックライト装置の平面図である。
【図１０】図９に示した切断線ＩＩ−ＩＩ’に沿って切断した断面図である。
【図１１】本発明の他の実施形態に係るバックライト装置の平面図である。
【図１２】図１１に示した切断線ＩＩＩ−ＩＩＩ’に沿って切断した断面図である。
【図１３】本発明のまた他の実施形態に係るバックライト装置の平面図である。
【図１４】本発明の一実施形態に係る表示装置のブロック図である。
【図１５】図１４に示した液晶表示パネル及び光源ユニットの対応関係を示す平面図である。
【図１６】図１５に示した第１〜第９光源ブロックの各々の輝度を示す表である。
【図１７】図１４に示したタイミングコントローラのブロック図である。
【図１８】本発明の他の実施形態に係る第１〜第６スイッチング素子と第１〜第９光源ブロックとの接続関係を示す図である。
【図１９】図１８に示した第１〜第６制御信号の各々のハイ区間による第１〜第９光源ブロックのターンオン区間を示すタイミング図である。
【図２０】１番目〜３番目のディミングフレームによって動作するディミング領域を示す平面図である。
【図２１】本発明の他の実施形態に係る第１〜第６制御信号及び第１〜第９光源ブロックのターンオン区間を示すタイミング図である。
【発明を実施するための形態】
【００１２】
次に、本発明に係る表示装置を実施するための形態の具体例を、図面を参照しながら説明する。
【００１３】
図１は、本発明の一実施形態に係るバックライト装置の回路図である。
【００１４】
図１を参照すれば、バックライト装置１００は、駆動回路１１０、光源ユニット１２０、第１スイッチング部１３０、第２スイッチング部１４０を含む。
【００１５】
前記駆動回路１１０は昇圧回路１１１及びディミング回路１１２からなる。前記昇圧回路１１１は外部から入力電圧ＶＩＮを受信し、前記入力電圧ＶＩＮを前記光源ユニット１２０を駆動するのに適する駆動電圧ＶＬＥＤまで昇圧する。
【００１６】
前記ディミング回路１１２は外部からディミング信号ＰＷＭを受信し、前記ディミング信号ＰＷＭによって前記光源ユニット１２０の全体輝度またはブロック別輝度を制御するための制御信号（本発明の一例として、第１〜第６制御信号ＣＳ１〜ＣＳ６）を出力する。前記第１〜第６制御信号ＣＳ１〜ＣＳ６のうちの前記第１〜第３制御信号ＣＳ１〜ＣＳ３は前記第１スイッチング部１３０に提供され、前記第４〜第６制御信号ＣＳ４〜ＣＳ６は前記第２スイッチング部１４０に提供される。前記ディミング信号ＰＷＭによって前記第１〜第６制御信号ＣＳ１〜ＣＳ６の各々のハイ区間の幅を調節することができる。前記第１〜第６制御信号ＣＳ１〜ＣＳ６については図３を参照して具体的に説明する。
【００１７】
前記光源ユニット１２０は複数の光源ブロック（本発明の一例として、第１〜第９光源ブロックＬＢ１〜ＬＢ９）を含む。前記第１〜第９光源ブロックＬＢ１〜ＬＢ９の各々は直列接続された複数の発光ダイオード１２１からなる。本発明の一例として、各光源ブロックＬＢ１〜ＬＢ９が３つの発光ダイオード１２１が直列接続された構造を有すると示したが、各光源ブロックＬＢ１〜ＬＢ９に含まれた発光ダイオード１２１の個数は可変可能である。また、前記光源ユニット１２０に含まれた光源ブロックの個数も９個に限定されない。
【００１８】
前記第１スイッチング部１３０は第１〜第３スイッチング素子ＳＷ１、ＳＷ２、ＳＷ３を含む。
【００１９】
前記第１スイッチング素子ＳＷ１は前記昇圧回路１１１の出力端子に接続されて前記駆動電圧ＶＬＥＤを受信する第１電極、前記ディミング回路１１２から前記第１制御信号ＣＳ１を受信する第２電極、及び前記第１〜第３光源ブロックＬＢ１、ＬＢ２、ＬＢ３の第１端子（すなわち、各光源ブロックに含まれた１番目の発光ダイオードのアノード）に共通接続された第３電極を具備する。前記第２スイッチング素子ＳＷ２は前記昇圧回路１１１の出力端子に接続され、前記駆動電圧ＶＬＥＤを受信する第１電極、前記ディミング回路１１２から第２制御信号ＣＳ２を受信する第２電極、及び前記第４〜第６光源ブロックＬＢ４、ＬＢ５、ＬＢ６の第１端子（すなわち、各光源ブロックに含まれた１番目の発光ダイオードのアノード）に共通接続された第３電極を具備する。前記第３スイッチング素子ＳＷ３は前記昇圧回路１１１の出力端子に接続され、前記駆動電圧ＶＬＥＤを受信する第１電極、前記ディミング回路１１２から第３制御信号ＣＳ３を受信する第２電極、及び前記第７〜第９光源ブロックＬＢ７、ＬＢ８、ＬＢ９の第１端子（すなわち、各光源ブロックに含まれた１番目の発光ダイオードのアノード）に共通接続された第３電極を具備する。
【００２０】
前記第２スイッチング部１４０は第４〜第６スイッチング素子ＳＷ４、ＳＷ５、ＳＷ６を含む。前記第４スイッチング素子ＳＷ４は前記第１、第４及び第７光源ブロックＬＢ１、ＬＢ４、ＬＢ７の第２端子（すなわち、各光源ブロックに含まれた最後の発光ダイオードのカソード）に共通接続された第１電極、前記ディミング回路１１２から第４制御信号ＣＳ４を受信する第２電極、及び基準電圧を受信する第３電極を具備する。前記駆動電圧ＶＬＥＤはプラスの電圧であり、前記基準電圧は接地電圧またはマイナスの電圧であり得る。前記第５スイッチング素子ＳＷ５は前記第２、第５及び第８光源ブロックＬＢ２、ＬＢ５、ＬＢ８の第２端子（すなわち、各光源ブロックに含まれた最後の発光ダイオードのカソード）に共通接続された第１電極、前記ディミング回路１１２から第５制御信号ＣＳ５を受信する第２電極、及び基準電圧を受信する第３電極を具備する。前記第６スイッチング素子ＳＷ６は前記第３、第６及び第９光源ブロックＬＢ３、ＬＢ６、ＬＢ９の第２端子（すなわち、各光源ブロックに含まれた最後の発光ダイオードのカソード）に共通接続された第１電極、前記ディミング回路１１２から第６制御信号ＣＳ６を受信する第２電極、及び基準電圧を受信する第３電極を具備する。
【００２１】
図１に示したように、前記光源ユニット１２０が９個の光源ブロックＬＢ１〜ＬＢ９を具備する場合、前記第１スイッチング部１３０は３個のスイッチング素子ＳＷ１〜ＳＷ３を具備し、前記第２スイッチング部１４０は３個のスイッチング素子ＳＷ４〜ＳＷ６を具備する。他の実施形態において、前記光源ユニット１２０が１２個の光源ブロックＬＢ１〜ＬＢ１２を具備する場合、前記第１スイッチング部１６０は４個のスイッチング素子ＳＷ１〜ＳＷ４を具備し、前記第２スイッチング部１７０は３個のスイッチング素子ＳＷ５〜ＳＷ７を具備する（図４及び図５に示す）。
【００２２】
このように、前記光源ユニット１２０に含まれた光源ブロックの個数をｐと定義し、前記第１及び第２スイッチング部１３０、１４０に各々具備されるスイッチング素子の個数をｎとｍとして定義する時（ｍ、ｎ、及びｐは各々自然数）、前記ｎとｍを足した値は前記ｐより小さいことがある。また、前記ｎとｍの各々は前記ｐの約数からなることができる。特に、前記ｎとｍは掛けて前記ｐになる約数のうち、足した時最も小さい値を有する２つの数で各々構成することができる。
【００２３】
したがって、前記バックライト装置１００は光源ブロックＬＢ１〜ＬＢ９の個数より少ない個数のスイッチング素子ＳＷ１〜ＳＷ６を具備することができる。その結果、前記バックライト装置１００の全体部品数を減少させることができる。
【００２４】
図２は、図１に示した第１〜第６スイッチング素子と第１〜第９光源ブロックとの接続関係を示す図であり、図３は、図２に示した第１〜第６制御信号の各々のハイ区間による第１〜第９光源ブロックのターンオン区間を示すタイミング図である。
【００２５】
図２を参照すれば、前記第１〜第９光源ブロックＬＢ１〜ＬＢ９は前記第１〜第３スイッチング素子ＳＷ１〜ＳＷ３に各々接続された第１〜第３列ｃ１〜ｃ３と、前記第４〜第６スイッチング素子ＳＷ４〜ＳＷ６に各々接続された第１〜第３行ｒ１〜ｒ３として定義することができる。
【００２６】
前記第１列ｃ１に接続された前記第１スイッチング素子ＳＷ１は前記第１制御信号ＣＳ１に応答して前記駆動電圧ＶＬＥＤを前記第１〜第３光源ブロックＬＢ１〜ＬＢ３に供給する。前記第２列ｃ２に接続された前記第２スイッチング素子ＳＷ２は前記第２制御信号ＣＳ２に応答して前記駆動電圧ＶＬＥＤを前記第４〜第６光源ブロックＬＢ４〜ＬＢ６に供給する。前記第３列ｃ３に接続された前記第３スイッチング素子ＳＷ３は前記第３制御信号ＣＳ３に応答して前記駆動電圧ＶＬＥＤを前記第７〜第９光源ブロックＬＢ７〜ＬＢ９に供給する。
【００２７】
一方、前記第１行ｒ１に接続された前記第４スイッチング素子ＳＷ４は前記第４制御信号ＣＳ４に応答して前記基準電圧を前記第１、第４、及び第７光源ブロックＬＢ１、ＬＢ４、ＬＢ７に供給する。前記第２行ｒ２に接続された前記第５スイッチング素子ＳＷ５は前記第５制御信号ＣＳ５に応答して前記基準電圧を前記第２、第５及び第８光源ブロックＬＢ２、ＬＢ５、ＬＢ８に供給する。前記第３行ｒ３に接続された前記第６スイッチング素子ＳＷ６は前記第６制御信号ＣＳ６に応答して前記基準電圧を前記第３、第６及び第９光源ブロックＬＢ３、ＬＢ６、ＬＢ９に供給する。
【００２８】
各光源ブロックに接続された２つのスイッチング素子が全部ターンオンする時、該当の光源ブロックが動作し、その結果、前記該当の光源ブロックから光が出射する。すなわち、前記各光源ブロックのターンオン区間はそれらに接続された２つのスイッチング素子の各々のターンオン区間によって決められる。各スイッチング素子のターンオン区間はそれらに印加される制御信号によって決められるので、結局、前記第１〜第９光源ブロックＬＢ１〜ＬＢ９の各々のターンオン区間は前記第１〜第６制御信号ＣＳ１〜ＣＳ６のハイ区間によって決められる。図３では前記第１〜第６制御信号ＣＳ１〜ＣＳ６のハイ区間による前記第１〜第９光源ブロックＬＢ１〜ＬＢ９のターンオン区間を示す。
【００２９】
図３を参照すれば、前記第１制御信号ＣＳ１のハイ区間はゼロ時間ｔ０から第１時間ｔ１まで、前記第２制御信号ＣＳ２のハイ区間は前記ゼロ時間ｔ０から第２時間ｔ２まで、前記第３制御信号ＣＳ３のハイ区間は前記ゼロ時間ｔ０から第３時間ｔ３まで設定される。
【００３０】
また、前記第４制御信号ＣＳ４のハイ区間はゼロ時間ｔ０から第４時間ｔ４まで、前記第５制御信号ＣＳ５のハイ区間は前記ゼロ時間ｔ０から第５時間ｔ５まで、前記第６制御信号ＣＳ６のハイ区間は前記ゼロ時間ｔ０から第３時間ｔ３まで設定される。
【００３１】
前記第１光源ブロックＬＢ１は前記第１及び第４制御信号ＣＳ１、ＣＳ４のハイ区間が互いに重畳する区間の間ターンオンする。したがって、前記第１光源ブロックＬＢ１は前記第１及び第４制御信号ＣＳ１、ＣＳ４のハイ区間のうちでさらに小さい幅を有する前記第４制御信号ＣＳ４のハイ区間に対応するターンオン区間を有する。結局、前記第１光源ブロックＬＢ１は前記ゼロ時間ｔ０から前記第４時間ｔ４までターンオンする。
【００３２】
前記第２光源ブロックＬＢ２は前記第１及び第５制御信号ＣＳ１、ＣＳ５のハイ区間が互いに重畳する間ターンオンする。したがって、前記第２光源ブロックＬＢ２は前記ゼロ時間ｔ０から前記第１時間ｔ１までターンオンする。
【００３３】
前記第３光源ブロックＬＢ３は前記第１及び第６制御信号ＣＳ１、ＣＳ６のハイ区間が互いに重畳する間ターンオンする。したがって、前記第３光源ブロックＬＢ３は前記ゼロ時間ｔ０から前記第１時間ｔ１までターンオンする。
【００３４】
前記第４光源ブロックＬＢ４は前記第２及び第４制御信号ＣＳ２、ＣＳ４のハイ区間が互いに重畳する間ターンオンする。したがって、前記第４光源ブロックＬＢ４は前記ゼロ時間ｔ０から前記第４時間ｔ４までターンオンする。
【００３５】
前記第５光源ブロックＬＢ５は前記第２及び第５制御信号ＣＳ２、ＣＳ５のハイ区間が互いに重畳する間ターンオンする。したがって、前記第５光源ブロックＬＢ５は前記ゼロ時間ｔ０から前記第５時間ｔ５までターンオンする。
【００３６】
前記第６光源ブロックＬＢ６は前記第２及び第６制御信号ＣＳ２、ＣＳ６のハイ区間が互いに重畳する間ターンオンする。したがって、前記第６光源ブロックＬＢ６は前記ゼロ時間ｔ０から前記第３時間ｔ３までターンオンする。
【００３７】
前記第７光源ブロックＬＢ７は前記第３及び第４制御信号ＣＳ３、ＣＳ４のハイ区間が互いに重畳する間ターンオンする。したがって、前記第７光源ブロックＬＢ７は前記ゼロ時間ｔ０から前記第４時間ｔ４までターンオンする。
【００３８】
前記第８光源ブロックＬＢ８は前記第３及び第５制御信号ＣＳ３、ＣＳ５のハイ区間が互いに重畳する間ターンオンする。したがって、前記第８光源ブロックＬＢ８は前記ゼロ時間ｔ０から前記第５時間ｔ５までターンオンする。
【００３９】
前記第９光源ブロックＬＢ９は前記第３及び第６制御信号ＣＳ３、ＣＳ６のハイ区間が互いに重畳する間ターンオンする。したがって、前記第９光源ブロックＬＢ９は前記ゼロ時間ｔ０から前記第３時間ｔ３までターンオンする。
【００４０】
このように、前記各光源ブロックＬＢ１〜ＬＢ９に接続された２つのスイッチング素子に各々印加される２つの制御信号のハイ区間の幅を制御することによって、各光源ブロックＬＢ１〜ＬＢ９のターンオン区間を決めることができ、その結果、各光源ブロックＬＢ１〜ＬＢ９から出射される光量を制御することができる。
【００４１】
図４は、本発明の他の実施形態に係るバックライト装置の回路図であり、図５は、図４に示した第１〜第７スイッチング素子と第１〜第１２光源ブロックとの接続関係を示す図である。
【００４２】
図４を参照すれば、本発明の他の実施形態に係るバックライト装置１０５は、光源ユニット１２０、駆動回路１５０、第１スイッチング部１６０、第２スイッチング部１７０を含む。
【００４３】
前記駆動回路１５０は外部から入力電圧ＶＩＮを受信し、前記入力電圧ＶＩＮを前記光源ユニット１２０を駆動するのに適する駆動電圧ＶＬＥＤまで昇圧する。また、前記駆動回路１５０は外部からディミング信号ＰＷＭを受信し、前記ディミング信号ＰＷＭによって前記光源ユニット１２０の全体輝度またはブロック別輝度を制御するための制御信号（本発明の一例として、第１〜第７制御信号ＣＳ１〜ＣＳ７）を出力する。前記第１〜第７制御信号ＣＳ１〜ＣＳ７のうちの前記第１〜第４制御信号ＣＳ１〜ＣＳ４は前記第１スイッチング部１６０に提供され、前記第５〜第７制御信号ＣＳ５〜ＣＳ７は前記第２スイッチング部１７０に提供される。前記駆動回路１５０は前記ディミング信号ＰＷＭによって前記第１〜第７制御信号ＣＳ１〜ＣＳ７の各々のハイ区間の幅を調節することができる。
【００４４】
前記光源ユニット１２０は複数の光源ブロック（本発明の一例として、第１〜第１２光源ブロックＬＢ１〜ＬＢ１２）を含む。前記第１〜第１２光源ブロックＬＢ１〜ＬＢ１２の各々は直列接続された複数の発光ダイオード１２１からなる。
【００４５】
前記第１スイッチング部１６０は第１〜第４スイッチング素子ＳＷ１、ＳＷ２、ＳＷ３、ＳＷ４を含む。前記第１スイッチング素子ＳＷ１は前記駆動電圧ＶＬＥＤを受信する第１電極、前記第１制御信号ＣＳ１を受信する第２電極、及び前記第１〜第３光源ブロックＬＢ１、ＬＢ２、ＬＢ３の第１端子（すなわち、各光源ブロックに含まれた１番目の発光ダイオードのアノード）に共通接続された第３電極を具備する。前記第２スイッチング素子ＳＷ２は前記駆動電圧ＶＬＥＤを受信する第１電極、前記第２制御信号ＣＳ２を受信する第２電極、及び前記第４〜第６光源ブロックＬＢ４、ＬＢ５、ＬＢ６の第１端子に共通接続された第３電極を具備する。前記第３スイッチング素子ＳＷ３は前記駆動電圧ＶＬＥＤを受信する第１電極、前記第３制御信号ＣＳ３を受信する第２電極、及び前記第７〜第９光源ブロックＬＢ７、ＬＢ８、ＬＢ９の第１端子に共通接続された第３電極を具備する。前記第４スイッチング素子ＳＷ４は前記駆動電圧ＶＬＥＤを受信する第１電極、前記第４制御信号ＣＳ４を受信する第２電極、及び前記第１０〜第１２光源ブロックＬＢ１０、ＬＢ１１、ＬＢ１２の第１端子に共通接続された第３電極を具備する。
【００４６】
前記第２スイッチング部１７０は第５〜第７スイッチング素子ＳＷ５、ＳＷ６、ＳＷ７を含む。前記第５スイッチング素子ＳＷ５は前記第１、第４、第７及び第１０光源ブロックＬＢ１、ＬＢ４、ＬＢ７、ＬＢ１０の第２端子（すなわち、各光源ブロックに含まれた最後の発光ダイオードのカソード）に共通接続された第１電極、前記第５制御信号ＣＳ５を受信する第２電極、及び基準電圧を受信する第３電極を具備する。前記駆動電圧ＶＬＥＤはプラスの電圧であり、前記基準電圧は接地電圧またはマイナスの電圧であり得る。前記第６スイッチング素子ＳＷ６は前記第２、第５、第８及び第１１光源ブロックＬＢ２、ＬＢ５、ＬＢ８、ＬＢ１１の第２端子に共通接続された第１電極、前記第６制御信号ＣＳ６を受信する第２電極、及び基準電圧を受信する第３電極を具備する。前記第７スイッチング素子ＳＷ７は前記第３、第６、第９及び第１２光源ブロックＬＢ３、ＬＢ６、ＬＢ９、ＬＢ１２の第２端子に共通接続された第１電極、前記第７制御信号ＣＳ７を受信する第２電極、及び基準電圧を受信する第３電極を具備する。
【００４７】
図５を参照すれば、前記第１〜第１２光源ブロックＬＢ１〜ＬＢ１２は前記第１〜第４スイッチング素子ＳＷ１〜ＳＷ４に各々接続された第１〜第４列ｃ１〜ｃ４と前記第５〜第７スイッチング素子ＳＷ５〜ＳＷ７に各々接続された第１〜第３行ｒ１〜ｒ３として定義することができる。
【００４８】
前記第１列ｃ１に接続された前記第１スイッチング素子ＳＷ１は前記第１制御信号ＣＳ１に応答して前記駆動電圧ＶＬＥＤを前記第１〜第３光源ブロックＬＢ１〜ＬＢ３に供給する。前記第２列ｃ２に接続された前記第２スイッチング素子ＳＷ２は前記第２制御信号ＣＳ２に応答して前記駆動電圧ＶＬＥＤを前記第４〜第６光源ブロックＬＢ４〜ＬＢ６に供給する。前記第３列ｃ３に接続された前記第３スイッチング素子ＳＷ３は前記第３制御信号ＣＳ３に応答して前記駆動電圧ＶＬＥＤを前記第７〜第９光源ブロックＬＢ７〜ＬＢ９に供給する。前記第４列ｃ４に接続された前記第４スイッチング素子ＳＷ４は前記第４制御信号ＣＳ４に応答して前記駆動電圧ＶＬＥＤを前記第１０〜第１２光源ブロックＬＢ１０〜ＬＢ１２に供給する。
【００４９】
一方、前記第１行ｒ１に接続された前記第５スイッチング素子ＳＷ５は前記第５制御信号ＣＳ５に応答して前記基準電圧を前記第１、第４、第７、第１０光源ブロックＬＢ１、ＬＢ４、ＬＢ７、ＬＢ１０に供給する。前記第２行ｒ２に接続された前記第６スイッチング素子ＳＷ６は前記第６制御信号ＣＳ６に応答して前記基準電圧を前記第２、第５、第８及び第１１光源ブロックＬＢ２、ＬＢ５、ＬＢ８、ＬＢ１１に供給する。前記第３行ｒ３に接続された前記第７スイッチング素子ＳＷ７は前記第７制御信号ＣＳ７に応答して前記基準電圧を前記第３、第６、第９及び第１２光源ブロックＬＢ３、ＬＢ６、ＬＢ９、ＬＢ１２に供給する。
【００５０】
各光源ブロックＬＢ１〜ＬＢ１２に接続された２つのスイッチング素子が全部ターンオンする時、該当の光源ブロックが動作し、その結果、前記該当の光源ブロックから光が出射する。すなわち、前記各光源ブロックのターンオン区間はそられに接続された２つのスイッチング素子の各々のターンオン区間によって決められる。各スイッチング素子のターンオン区間はそれらに印加される制御信号によって決められるので、結局、前記第１〜第１２光源ブロックＬＢ１〜ＬＢ１２の各々のターンオン区間は前記第１〜第７制御信号ＣＳ１〜ＣＳ７のハイ区間によって決められる。
【００５１】
図６は、図１に示した光源ユニットの平面図である。
【００５２】
図６を参照すれば、前記光源ユニット１２０は一方向に長く延長された構造を有する印刷回路基板１２２及び前記印刷回路基板１２２の長さ方向に沿って一列に配列された前記第１〜第９光源ブロックＬＢ１〜ＬＢ９を含む。各光源ブロックＬＢ１〜ＬＢ９に含まれた発光ダイオード１２１は前記印刷回路基板１２２の上面に実装され、前記長さ方向に沿って一列に配列されている。
【００５３】
前記光源ユニット１２０は前記印刷回路基板１２２の一側端部に実装されたコネクタ１２３をさらに含む。図示しないが、前記コネクタ１２３は前記印刷回路基板１２２に具備された第１〜第９光源ブロックＬＢ１〜ＬＢ９を図１に示した第１及び第２スイッチング部１３０、１４０に電気的に接続させる役目を実行する。
【００５４】
したがって、前記コネクタ１２３は前記第１スイッチング部１３０に具備されたスイッチング素子ＳＷ１〜ＳＷ３の個数と前記第２スイッチング部１４０に具備されたスイッチング素子ＳＷ４〜ＳＷ６の個数との和に該当する値より多いか、または同一の個数のピン（ｐｉｎ）を具備する。本発明の一例として、前記コネクタ１２３は前記第１〜第６スイッチング素子ＳＷ１〜ＳＷ６に各々接続された第１〜第６ピンＰ１〜Ｐ６を具備する。したがって、前記第１〜第３ピンＰ１〜Ｐ３は前記第１〜第３スイッチング素子ＳＷ〜ＳＷ３のオン／オフ動作によって前記駆動電圧ＶＬＥＤを受信し、前記第４〜第６ピンＰ４〜Ｐ６は前記第４〜第６スイッチング素子ＳＷ４〜ＳＷ６のオン／オフ動作によって前記基準電圧を受信する。
【００５５】
前記印刷回路基板１２２は前記コネクタ１２３の第１〜第６ピンＰ１〜Ｐ６に各々接続された第１〜第６接続配線ＣＬ１〜ＣＬ６を具備する。特に、前記第１〜第３接続配線ＣＬ１〜ＣＬ３は前記第１〜第３ピンＰ１〜Ｐ３に各々接続されて前記駆動電圧ＶＬＥＤを受信し、前記第４〜第６接続配線ＣＬ４〜ＣＬ６は前記第４〜第６ピンＰ４〜Ｐ６に各々接続されて前記基準電圧を受信する。
【００５６】
前記第１接続配線ＣＬ１は前記第３ピンＰ３と前記第１〜第３光源ブロックＬＢ１〜ＬＢ３の各々の１番目の発光ダイオードのアノードを電気的に接続させる。したがって、前記第１〜第３光源ブロックＬＢ１〜ＬＢ３は前記第１スイッチング素子ＳＷ１がターンオンする時、前記第１接続配線ＣＬ１を通じて前記駆動電圧ＶＬＥＤを受信する。前記第２接続配線ＣＬ２は前記第２ピンＰ２と前記第４〜第６光源ブロックＬＢ４〜ＬＢ６の各々の１番目の発光ダイオードのアノードを電気的に接続させる。したがって、前記第４〜第６光源ブロックＬＢ４〜ＬＢ６は前記第２スイッチング素子ＳＷ２がターンオンする時、前記第２接続配線ＣＬ２を通じて前記駆動電圧ＶＬＥＤを受信する。また、前記第３接続配線ＣＬ３は前記第１ピンＰ１と前記第７〜第９光源ブロックＬＢ７〜ＬＢ９の各々の１番目の発光ダイオードのアノードを電気的に接続させる。したがって、前記第７〜第９光源ブロックＬＢ７〜ＬＢ９は前記第３スイッチング素子ＳＷ３がターンオンする時、前記第３接続配線ＣＬ３を通じて前記駆動電圧ＶＬＥＤを受信する。
【００５７】
一方、前記第４接続配線ＣＬ４は前記第４ピンＰ４と前記第１、第４、及び第７光源ブロックＬＢ１、ＬＢ４、ＬＢ７の各々の最後の発光ダイオードのカソードを電気的に接続させる。したがって、前記第１、第４及び第７光源ブロックＬＢ１、ＬＢ４、ＬＢ７は前記第４スイッチング素子ＳＷ４がターンオンする時、前記第４接続配線ＣＬ４を通じて前記基準電圧を受信する。前記第５接続配線ＣＬ５は前記第５ピンＰ５と前記第２、第５、及び第８光源ブロックＬＢ２、ＬＢ５、ＬＢ８の各々の最後の発光ダイオードのカソードを電気的に接続させる。したがって、前記第２、第５及び第８光源ブロックＬＢ２、ＬＢ５、ＬＢ８は前記第５スイッチング素子ＳＷ５がターンオンする時、前記第５接続配線ＣＬ５を通じて前記基準電圧を受信する。また、前記第６接続配線ＣＬ６は前記第６ピンＰ６と前記第３、第６、及び第９光源ブロックＬＢ３、ＬＢ６、ＬＢ９の各々の最後の発光ダイオードのカソードを電気的に接続させる。したがって、前記第３、第６、及び第９光源ブロックＬＢ３、ＬＢ６、ＬＢ９は前記第６スイッチング素子ＳＷ６がターンオンする時、前記第６接続配線ＣＬ６を通じて前記基準電圧を受信する。
【００５８】
図６では前記印刷回路基板１２２に６個の接続配線ＣＬ１〜ＣＬ６が具備された構造を示したが、本発明はこれに限定されない。すなわち、前記印刷回路基板１２２上に９個の光源ブロックＬＢ１〜ＬＢ９が実装された場合、前記印刷回路基板１２２は６個の接続配線ＣＬ１〜ＣＬ６を具備するが、光源ブロックの個数が１２個に増加すると、接続配線の個数は７個に増加する。結局、前記光源ブロックの個数をｐとする時、前記印刷回路基板１２２は前記ｐより少ない個数の接続配線を含む。特に、前記印刷回路基板１２２上に具備される前記接続配線の個数は掛けてｐになる２つの約数を足した値のうち、最も小さい値に設定することができる。
【００５９】
このように、前記印刷回路基板１２２に具備される接続配線の個数が前記光源ブロックの個数より少なければ、前記印刷回路基板１２２の全体的な幅ｗ１を減少させることができ、その結果、前記バックライト装置のサイズを減少させることができる。
図７は、本発明の他の実施形態に係る光源ユニットの平面図である。図８は、図７に示したＩ部分の断面図である。
【００６０】
図７及び図８を参照すれば、本発明の他の実施形態に係る光源ユニット１２８は両面（ｄｏｕｂｌｅ  ｓｉｄｅ）印刷回路基板１２５を含む。前記両面印刷回路基板１２５は前記発光ダイオード１２１が実装される上面１２５ａ及び前記上面１２５ａと下面１２５ｂの全部に接続配線を形成することができる。
【００６１】
本発明の一例として、前記コネクタ１２３は前記両面印刷回路基板１２５の上面１２５ａに実装される。前記第１〜第６接続配線ＣＬ１〜ＣＬ６は前記コネクタ１２３の第１〜第６ピンＰ１〜Ｐ６に電気的に接続されなければならないので、前記両面印刷回路基板１２５の上面１２５ａに具備される。
【００６２】
前記第１〜第６接続配線ＣＬ１〜ＣＬ６のうちの前記第１〜第３接続配線ＣＬ１〜ＣＬ３は前記両面印刷回路基板１２５の上面で前記発光ダイオード１２１が配列された方向に延長されている。一方、前記第１〜第６接続配線ＣＬ１〜ＣＬ６のうちの前記第４〜第６接続配線ＣＬ４〜ＣＬ６は前記両面印刷回路基板１２５の下面で前記発光ダイオード１２１が配列された方向に延長された第７〜第９接続配線ＣＬ７〜ＣＬ９と電気的に接続されている。前記両面印刷回路基板１２５には前記両面印刷回路基板１２５を貫通して形成されたビアホール１２５ｃが形成される。前記第４〜第６接続配線ＣＬ４〜ＣＬ６は対応するビアホール１２５ｃを通じて前記第７〜第９接続配線ＣＬ７〜ＣＬ９に各々電気的に接続されている。
【００６３】
前記光源ユニット１２８が両面印刷回路基板１２５を含む場合、前記第７〜第９接続配線ＣＬ７〜ＣＬ９は前記発光ダイオード１２１とオーバーラップされるので、前記両面印刷回路基板１２５の幅ｗ２は図６に示した印刷回路基板１２２の幅ｗ１より減少できる。
【００６４】
図７及び図８では両面印刷回路基板１２５を示したが、前記光源ユニット１２０、１２８は多層印刷回路基板（図示しない）を具備することもできる。この場合、接続配線ＣＬ１〜ＣＬ６は前記多層印刷回路基板の各層に分割して配置することができる。
【００６５】
また、前記印刷回路基板１２２、１２５はメタル材質からなりうる。メタル印刷回路基板はプラスチックより熱伝導性が高いことから、前記発光ダイオード１２１から発生した熱を放射させるのに有利である。
【００６６】
図９は、図６に示した光源ユニットを採用するバックライト装置の平面図であり、図１０は、図９に示した切断線ＩＩ−ＩＩ’に沿って切断した断面図である。
【００６７】
図９及び図１０を参照すれば、バックライト装置１００は光源ユニット１２０及び導光板１８０を含む。前記光源ユニット１２０は図６を参照して説明したので、前記光源ユニット１２０に対する具体的な説明は省略する。
【００６８】
前記導光板１８０は四角プレート形状からなる。特に、前記導光板１８０は前記光源ユニット１２０と隣接した側面１８１、前記側面１８１の一端から延長された出射面１８２、及び前記出射面１８２と平行であり、前記側面１８１の他端から延長された反射面１８３を含む。
【００６９】
前記光源ユニット１２０から出射された光は前記導光板１８０の側面１８１に入射され、前記側面１８１を通じて前記導光板１８０の内部に入射された光は前記出射面１８２を通過して外部に出射されるか、または前記反射面１８３によって反射した後、前記出射面１８２側に提供されることがある。前記反射面１８３によって反射せずに、漏れた光は前記導光板１８０の下部に具備された反射板または反射シーツ（図示しない）などによって反射して前記導光板１８０に再入射できる。
【００７０】
図９では前記導光板１８０の一側面に隣接した１つの光源ユニット１２０を含むバックライト装置１００を示したが、前記バックライト装置１００は前記導光板１８０の少なくとも２つの側面に各々隣接して配置される少なくとも２つの光源ユニットを含むこともできる。
【００７１】
図１０に示したように、前記印刷回路基板１２２上に実装された発光ダイオード１２１は前記光が出射される発光面１２１ａを含む。特に、前記発光面１２１ａは前記印刷回路基板１２２の上面１２２ａに平行な面であり得る。また、前記発光面１２１ａ及び前記印刷回路基板１２２の上面１２２ａは前記導光板１８０の側面１８１に平行であり得る。
【００７２】
図１１は、本発明の他の実施形態に係るバックライト装置の平面図であり、図１２は、図１１に示した切断線ＩＩＩ−ＩＩＩ’に沿って切断した断面図である。
【００７３】
図１１及び図１２を参照すれば、本発明の他の実施形態に係るバックライト装置１０８は光源ユニット１２９及び導光板１８０を含む。前記導光板１８０は図９及び図１０を参照して説明したので、具体的な説明は省略する。
【００７４】
前記光源ユニット１２９は前記導光板１８０の反射面１８３に平行な印刷回路基板１２７を具備する。すなわち、前記印刷回路基板１２７の上面１２７ａは前記導光板１８０の反射面１８３に平行であり、前記導光板１８０の側面１８１に垂直である。また、前記印刷回路基板１２７の上面１２７ａには発光ダイオード１２４が実装される。前記発光ダイオード１２４の発光面１２４ａは前記印刷回路基板１２７の上面１２７ａに垂直であり、前記導光板１８０の側面１８１に平行である。
【００７５】
図６〜図１２では光源ブロックが一方向を基準として分割された１次元ローカルディミング構造を有するバックライト装置を示した。しかし、本発明の実施形態はこれに制限されない。
【００７６】
図１３は、本発明のまた他の実施形態に係るバックライト装置の平面図である。
【００７７】
図１３を参照すれば、本発明のまた他の実施形態に係るバックライト装置１０９は、光源ブロックが互いに異なる２つの方向を基準として分割された２次元ローカルディミング構造を有する。具体的に、前記バックライト装置１０９は光源ユニット１２０及び拡散板１９０を含むことができる。前記光源ユニット１２０は前記拡散板１９０の下部に具備された印刷回路基板１５１及び前記印刷回路基板１５１上に具備された複数の光源ブロックＬＢ１〜ＬＢ１２からなる。本発明の一例として、前記光源ブロックＬＢ１〜ＬＢ１２は３ｘ４の行列構造に配置されている。
【００７８】
前記複数の光源ブロックＬＢ１〜ＬＢ１２の各々は複数の光源（図示しない）を具備することができ、各光源は発光ダイオードからなることができる。
【００７９】
図１４は、本発明の一実施形態に係る表示装置のブロック図である。
【００８０】
図１４を参照すれば、表示装置２００は、液晶表示パネル２１０、タイミングコントローラ２２０、ゲートドライバ２３０、データドライバ２４０、バックライト駆動回路１１０、光源ユニット１２０、第１スイッチング回路１３０、第２スイッチング回路１４０を含む。前記バックライト駆動回路１１０は昇圧回路（例えば、ＤＣ／ＤＣコンバータ１１１及びディミング回路１１２）からなる。
【００８１】
前記液晶表示パネル２１０は複数のゲートラインＧＬ１〜ＧＬｎ、前記ゲートラインＧＬ１〜ＧＬｎに交差する複数のデータラインＤＬ１〜ＤＬｍ、前記ゲートラインＧＬ１〜ＧＬｎ及び前記データラインＤＬ１〜ＤＬｍによって定義された領域に各々配列された画素を含む。図１４には説明を簡潔にするために１つの画素についてのみ、その構成要素を示した。各画素は対応するゲートラインと対応するデータラインに各々ゲート電極及びソース電極が接続される薄膜トランジスタＴｒ、前記薄膜トランジスタＴｒのドレイン電極に接続される液晶キャパシタＣＬＣ及びストレージキャパシタＣＳＴを含む。
【００８２】
外部装置から前記タイミングコントローラ２２０に画像データ信号ＲＧＢ、水平同期信号Ｈ＿ＳＹＮＣ、垂直同期信号Ｖ＿ＳＹＮＣ、クロック信号ＭＣＬＫ及びデータイネーブル信号ＤＥが入力される。前記タイミングコントローラ２２０は前記データドライバ２４０とのインターフェース仕様に整合するように前記画像データ信号ＲＧＢのデータフォーマットを変換し、変換された画像データ信号ＲＧＢ’を前記データドライバ２４０に出力する。また、前記タイミングコントローラ２２０はデータ制御信号（例えば、出力開始信号ＴＰ、水平開始信号ＳＴＨ及びクロック信号ＨＣＬＫ）をデータドライバ２４０に出力し、ゲート制御信号（例えば、垂直開始信号ＳＴＶ、ゲートクロック信号ＣＰＶ、及び出力イネーブル信号ＯＥ）を前記ゲートドライバ２３０に出力する。
【００８３】
前記ゲートドライバ２３０にはゲートオン電圧ＶＯＮとゲートオフ電圧ＶＯＦＦが入力され、前記タイミングコントローラ２２０から提供されるゲート制御信号ＳＴＶ、ＣＰＶ、ＯＥに応答して順次に前記ゲートオン電圧ＶＯＮを有するゲート信号Ｇ１〜Ｇｎを出力する。前記ゲート信号Ｇ１〜Ｇｎは前記液晶表示パネル２１０のゲートラインＧＬ１〜ＧＬｎに順次に印加されて前記ゲートラインＧＬ１〜ＧＬｎを順次にスキャニングする。図示しないが、前記表示装置２００には入力電圧を前記ゲートオン電圧ＶＯＮ及び前記ゲートオフ電圧ＶＯＦＦに変換して出力するレギュレータをさらに具備することができる。ここで、レギュレータには前記ＤＣ／ＤＣコンバータ１１１に供給される入力電圧Ｖｉｎと異なる電圧が入力されても良い。
【００８４】
前記データドライバ２４０はアナログ駆動電圧ＡＶＤＤが入力されて動作することができ、ガンマ電圧発生部（図示しない）から提供されたガンマ電圧を利用して複数の階調電圧を生成する。前記データドライバ２４０は前記タイミングコントローラ２２０から提供される前記データ制御信号ＴＰ、ＳＴＨ、ＨＣＬＫに応答して前記生成された階調電圧のうちで前記画像データ信号ＲＧＢ’に対応する階調電圧を選択し、選択された階調電圧をデータ信号Ｄ１〜Ｄｎとして前記液晶表示パネル２１０のデータラインＤＬ１〜ＤＬｍに印加する。
【００８５】
前記ゲートラインＧＬ１〜ＧＬｎに前記ゲート信号Ｇ１〜Ｇｍが順次に印加されると、これに同期して前記データラインＤＬ１〜ＤＬｍにデータ信号Ｄ１〜Ｄｍが印加される。このうちで選択されたゲートラインに該当のゲート信号が印加されると、前記選択されたゲートラインに接続された薄膜トランジスタＴｒは前記該当のゲート信号に応答してターンオンする。前記ターンオンされた薄膜トランジスタＴｒが接続されたデータラインにデータ信号が印加されると、印加されたデータ信号は前記ターンオンされた薄膜トランジスタＴｒを通って前記液晶キャパシタＣＬＣと前記ストレージキャパシタＣＳＴに充電される。
【００８６】
前記液晶キャパシタＣＬＣは充電された電圧によって液晶の光透過率を調節する。前記ストレージキャパシタＣＳＴは前記薄膜トランジスタＴｒのターンオンの時、データ信号を蓄積し、前記薄膜トランジスタＴｒのターンオフの時、蓄積されたデータ信号を前記液晶キャパシタＣＬＣに印加して前記液晶キャパシタＣＬＣの充電を維持させる。このような方式を通じて前記液晶表示パネル２１０は画像を表示することができる。
【００８７】
一方、前記光源ユニット１２０は前記液晶表示パネル２１０の一側に配置された第１〜第９光源ブロックＬＢ１〜ＬＢ９を含む。前記第１スイッチング回路１３０は前記ディミング回路１１２から提供される第１〜第３制御信号ＣＳ１〜ＣＳ３に応答して前記第１〜第９光源ブロックＬＢ１〜ＬＢ９のうちで選択された少なくとも２つの光源ブロックに前記駆動電圧ＶＬＥＤを提供することができる。前記第２スイッチング回路１４０は前記ディミング回路１１２から提供される第４〜第６制御信号ＣＳ４〜ＣＳ６に応答して前記第１〜第９光源ブロックＬＢ１〜ＬＢ９に前記基準電圧（例えば、接地電圧）を提供することができる。特に、前記第２スイッチング回路１４０は前記選択された少なくとも２つの光源ブロックのうちの少なくとも１つに基準電圧を印加することができる。したがって、前記駆動電圧ＶＬＥＤと前記基準電圧が印加された少なくとも１つの光源ブロックから光を出射することができる。
【００８８】
また、前記第１〜第６制御信号ＣＳ１〜ＣＳ６の各々のハイ区間の幅によって各光源ブロックＬＢ１〜ＬＢ９の光量を制御することができる。
【００８９】
図１５は、図１４に示した液晶表示パネル及び光源ユニットの対応関係を示す平面図であり、図１６は、図１５に示した第１〜第９光源ブロックの各々の輝度を示す表である。
【００９０】
図１５及び図１６を参照すれば、前記液晶表示パネル２１０は前記光源ユニット１２０の第１〜第９光源ブロックＬＢ１〜ＬＢ９に各々対応する第１〜第９ディミング領域Ａ１〜Ａ９に分割することができる。前記液晶表示パネル２１０に定義されるディミング領域の個数は前記光源ブロックの個数によって変わる。すなわち、前記光源ユニット１２０に１２個の光源ブロックが具備されれば、前記液晶表示パネル２１０も１２個のディミング領域に分割される。
【００９１】
前記ディミング回路１１２に印加されるディミング信号ＰＷＭが８ビットからなる場合、前記液晶表示パネル２１０に定義された前記第１〜第９ディミング領域Ａ１〜Ａ９に表示される画像を代表輝度値に換算すれば、０から２５５まで２５６個のレベルに表現することができる。本発明の一例として、前記第１〜第９ディミング領域Ａ１〜Ａ９のうち第１〜第３ディミング領域Ａ１〜Ａ３は０レベルの代表輝度値を有し、第４ディミング領域Ａ４は６４レベルの代表輝度値を有し、第５ディミング領域Ａ５は１９１レベルの代表輝度値を有し、第６ディミング領域Ａ６は２４６レベルの代表輝度値を有し、第７ディミング領域Ａ７は２５０レベルの代表輝度値を有し、第８及び第９ディミング領域Ａ８、Ａ９は２５４レベルの代表輝度値を有することができる。
【００９２】
この場合、各ディミング領域Ａ１〜Ａ９に対応する光源ブロックの光量を制御するために、前記第１〜第６スイッチング素子ＳＷ１〜ＳＷ６のターンオン区間が調節される。説明の便宜のため、図１６では各スイッチング素子ＳＷ１〜ＳＷ６のターンオン区間が前記２５６個の輝度レベルに対応する２５６個の値に表現された。
【００９３】
図１６に示したように、前記第１スイッチング素子ＳＷ１のターンオン区間は２０４の幅を有し、前記第２スイッチング素子ＳＷ２のターンオン区間は２４６の幅を有し、前記第３スイッチング素子ＳＷ３のターンオン区間は２５４の幅を有する。また、前記第４スイッチング素子ＳＷ４のターンオン区間は２５０の幅を有し、前記第５スイッチング素子ＳＷ５のターンオン区間は２５４の幅を有し、前記第６スイッチング素子ＳＷ６のターンオン区間は２５４の幅を有する。
【００９４】
前記第１スイッチング素子ＳＷ１に接続された前記第１〜第３光源ブロックＬＢ１〜ＬＢ３は全部ターンオフする。前記第４光源ブロックＬＢ４は前記第２及び第４スイッチング素子ＳＷ２、ＳＷ４のターンオン区間のうちで小さい区間に対応する２４６の区間の間ターンオンする。また、前記第５光源ブロックＬＢ５は前記第２及び第５スイッチング素子ＳＷ２、ＳＷ５のターンオン区間のうちで小さい区間に対応する２４６の区間の間ターンオンする。前記第６光源ブロックＬＢ６は前記第２及び第６スイッチング素子ＳＷ２、ＳＷ６のターンオン区間のうちで小さい区間に対応する２４６の区間の間ターンオンする。
【００９５】
前記第７光源ブロックＬＢ７は前記第３及び第４スイッチング素子ＳＷ３、ＳＷ４のターンオン区間のうちで小さい区間に対応する２５０の区間の間ターンオンする。前記第３、第５、及び第６スイッチング素子ＳＷ３、ＳＷ５、ＳＷ６のターンオン区間の幅は互いに同一であるので、前記第８及び第９光源ブロックＬＢ８、ＬＢ９は２５４の区間の間ターンオンする。
【００９６】
図１６に提示されたデータは本発明の一実施形態であり、前記液晶表示パネル２１０の各ディミング領域Ａ１〜Ａ９の輝度レベルが変われば、前記第１〜第９光源ブロックＬＢ１〜ＬＢ９の各々のターンオン区間も変わうる。
【００９７】
このように、前記第１〜第６スイッチング素子ＳＷ１〜ＳＷ６の各々のターンオン区間の幅によって各光源ブロックＬＢ１〜ＬＢ９の光量を制御することによって、前記表示装置２００にディミング方式を適用することができる。
【００９８】
図１７は、図１４に示したタイミングコントローラのブロック図である。
【００９９】
図１７を参照すれば、前記タイミングコントローラ２２０は、代表値決定部２２１、代表値補償部２２３、ピクセル補正部２２５を含む。
【０１００】
前記代表値決定部２２１は前記光源ブロックＬＢ１〜ＬＢ９に対応する前記液晶表示パネル２１０のディミング領域に提供される外部の画像信号から前記光源ブロックＬＢ１〜ＬＢ９の各々の輝度代表値を決める。前記代表値補償部２２３は前記輝度代表値を償って輝度補償値を算出する。前記代表値補償部２２３から算出された輝度補償値は前記ピクセル補正部２２５に提供される。前記ピクセル補正部２２５は前記輝度補償値に基づいて光源ブロックＬＢ１〜ＬＢ９の間の境界領域に距離加重値を適用して前記画像信号ＲＧＢのピクセルデータを補正する。前記補正されたピクセルデータをデータドライバ２４０に提供することができる。
【０１０１】
具体的に、前記代表値決定部２２１は前記光源ブロックＬＢ１〜ＬＢ９に対応して分割された複数のディミング領域に該当する外部から入力される前記制御信号ＣＳ及び前記画像信号ＲＧＢを利用して前記光源ブロックＬＢ１〜ＬＢ９の各々の輝度代表値を抽出する。前記輝度代表値は各画像ブロックに含まれた画像信号ＲＧＢの輝度の最大値と平均値との間の中値であり得る。
【０１０２】
前記代表値補償部２２３は前記光源ブロックＬＢ１〜ＬＢ９の各々の輝度代表値を低域通過フィルタリング（Ｌｏｗ  Ｐａｓｓ  Ｆｉｌｔｅｒｉｎｇ）する空間的補償部２２３ａを含むことができる。前記空間的補償部２２３ａは各光源ブロックＢとこれに隣接する光源ブロックＢの輝度代表値のうちで最大輝度代表値を基準として所定の割合以上になる値を各光源ブロックＬＢ１〜ＬＢ９の輝度補償値として算出することができる。
【０１０３】
例えば、各光源ブロックＬＢ１〜ＬＢ９の輝度代表値が各光源ブロックＬＢ１〜ＬＢ９を基準として隣接する光源ブロックＬＢ１〜ＬＢ９の輝度代表値のうちで最も高い値（すなわち、最大輝度代表値）に補償比を掛けた値より小さい場合、前記空間的補償部２２３ａは前記輝度代表値が前記最大輝度代表値に前記補償比を掛けた値以上の値を有するように補正して輝度補償値を算出する。その結果、光源ブロックＬＢ１〜ＬＢ９の輝度代表値は急激な変化なく段階的に減少または増加することができる。
【０１０４】
前記代表値補償部２２３は前記画像信号ＲＧＢの各フレーム単位で前記光源ブロックＬＢ１〜ＬＢ９の輝度代表値を低域通過フィルタリング（Ｌｏｗ  Ｐａｓｓ  Ｆｉｌｔｅｒｉｎｇ）する時間的補償部２２３ｂをさらに含むことができる。
【０１０５】
急激に明るさが変わる動画などを表示する場合、前記画像信号ＲＧＢのフレームの間に光源ブロックＬＢ１〜ＬＢ９の明るさが瞬間的に変わってフリッカー現象が発生することがある。この場合、時間軸で前記光源ブロックＬＢ１〜ＬＢ９の輝度代表値を低域通過フィルタリングし、フレーム間のブロックの明るさが変わる程度を制限することができる。
【０１０６】
前記代表値補償部２２３は空間軸で前記光源ブロックＬＢ１〜ＬＢ９の輝度代表値を低域通過フィルタリングする前記空間的補償部２２３ａ及び時間軸で前記光源ブロックＬＢ１〜ＬＢ９の輝度代表値を低域通過フィルタリングする前記時間的補償部２２３ｂのうちのいずれか１つを含むことができる。また、前記空間的補償部２２３ａと時間的補償部２２３ｂを共に具備する場合、それらの適用順序には制限がない。
【０１０７】
前記代表値補償部２２３は前記各輝度代表値を償った輝度補償値を算出し、前記ピクセル補正部２２５に提供する。前記ピクセル補正部２２５はバックライトのディミングにより画面の全体が暗くなることを補正するために、ピクセルデータを補正して画像の輝度を高める。前記ピクセル補正部２２５は前記代表値補償部２２３から提供される輝度補償値に基づいて前記光源ブロックＬＢ１〜ＬＢ９の間の境界領域に距離加重値を適用して前記画像信号のピクセルデータを補正する。
【０１０８】
具体的に、前記ピクセル補正部２２５は他の光源ブロックＬＢ１〜ＬＢ９と隣接する各発光ブロックＢの一定の領域を境界領域として設定し、境界領域以外の領域を中心領域として設定し、領域別に各々異なる方式でピクセルを補正することができる。前記中心領域は前記代表値補償部２２３から提供される前記輝度補償値に基づいてピクセルを補正することができる。一方、前記境界領域は輝度補償値に距離加重値を与えて推定された値に基づいてピクセル補正を行うことによって、光源ブロックＬＢ１〜ＬＢ９の間の急激な輝度差を減少させることができる。
【０１０９】
また、前記ピクセル補正部２２５は前記光源ブロックＬＢ１〜ＬＢ９の各々の目標ディミングレベルと実際ディミングレベルが異なる場合、実際ディミングレベルと目標ディミングレベルの差値によって前記各ディミング領域Ａ１〜Ａ９に印加される画像信号のピクセルデータを補正することができる。
【０１１０】
特に、図１５及び１６に示したように、第４光源ブロックＬＢ４の目標ディミングレベルが６４レベルであるにもかかわらず、前記第４光源ブロックＬＢ４の実際ディミングレベルは２４６レベルに測定された。このような場合、実際ディミングレベルが目標ディミングレベルより大きいことから、第４光源ブロックＬＢ４に対応する前記液晶表示パネル２１０の第４ディミング領域Ａ４が目標輝度値より高い実際輝度値を有する。したがって、ピクセル補正部２２５は前記第４ディミング領域Ａ４に印加される画像信号の輝度値をダウンさせる補正を実行する。
【０１１１】
一方、前記光源ブロックＬＢ１〜ＬＢ９のうち、所定光源ブロックの実際ディミングレベルが目標ディミングレベルより小さい場合、前記ピクセル補正部２２５は前記光源ブロックに対応するディミング領域に印加される画像信号の輝度値を増加させる補正を実行する。
【０１１２】
このように、前記ピクセル補正部２２５は前記光源ブロックＬＢ１〜ＬＢ９の各々の目標ディミングレベルと実際ディミングレベルが異なる場合、実際ディミングレベルと目標ディミングレベルとの差値によって前記各ディミング領域Ａ１〜Ａ９に印加される画像信号のピクセルデータを補正することによって、ディミング効果を向上できる。
【０１１３】
図１８は、本発明の他の実施形態に係る第１〜第６スイッチング素子と第１〜第９光源ブロックとの接続関係を示す図であり、図１９は、図１８に示した第１〜第６制御信号各々のハイ区間による第１〜第９光源ブロックのターンオン区間を示すタイミング図である。
【０１１４】
図１８を参照すれば、前記第１〜第９光源ブロックＬＢ１〜ＬＢ９は前記第１〜第３スイッチング素子ＳＷ１〜ＳＷ３に各々接続された第１〜第３列ｃ１〜ｃ３と前記第４〜第６スイッチング素子ＳＷ４〜ＳＷ６に各々接続された第１〜第３行ｒ１〜ｒ３のように定義できる。
【０１１５】
前記第１列ｃ１に接続された前記第１スイッチング素子ＳＷ１は前記第１制御信号ＣＳ１に応答して前記駆動電圧ＶＬＥＤを前記第１光源ブロックＬＢ１、第４光源ブロックＬＢ４、及び第７光源ブロックＬＢ７に供給する。前記第２列ｃ２に接続された前記第２スイッチング素子ＳＷ２は前記第２制御信号ＣＳ２に応答して前記駆動電圧ＶＬＥＤを前記第２光源ブロックＬＢ２、第５光源ブロックＬＢ５、及び第８光源ブロックＬＢ８に供給する。前記第３列ｃ３に接続された前記第３スイッチング素子ＳＷ３は前記第３制御信号ＣＳ３に応答して前記駆動電圧ＶＬＥＤを前記第３光源ブロックＬＢ３、第６光源ブロックＬＢ６、及び第９光源ブロックＬＢ９に供給する。
【０１１６】
一方、前記第１行ｒ１に接続された前記第４スイッチング素子ＳＷ４は前記第４制御信号ＣＳ４に応答して前記基準電圧を前記第１〜第３光源ブロックＬＢ１〜ＬＢ３に供給する。前記第２行ｒ２に接続された前記第５スイッチング素子ＳＷ５は前記第５制御信号ＣＳ５に応答して前記基準電圧を前記第４〜第６光源ブロックＬＢ４〜ＬＢ６に供給する。前記第３行ｒ３に接続された前記第６スイッチング素子ＳＷ６は前記第６制御信号ＣＳ６に応答して前記基準電圧を前記第７〜第９光源ブロックＬＢ７〜ＬＢ９に供給する。
【０１１７】
前記のような接続構造によれば、各光源ブロックに接続された２つのスイッチング素子が全部ターンオンする時、該当の光源ブロックが動作して光を出力する。前記各光源ブロックのターンオン区間はそれらに接続された２つのスイッチング素子に印加される制御信号によって決められる。図１９では前記第１〜第６制御信号ＣＳ１〜ＣＳ６のハイ区間による前記第１〜第９光源ブロックＬＢ１〜ＬＢ９のターンオン区間を示した。
【０１１８】
図１９を参照すれば、１番目のディミングフレームＤＦ１において、前記第１制御信号ＣＳ１のハイ区間はゼロ時間ｔ０から第１時間ｔ１まで、前記第２制御信号ＣＳ２のハイ区間は前記ゼロ時間ｔ０から第２時間ｔ２まで、前記第３制御信号ＣＳ３のハイ区間は前記ゼロ時間ｔ０から第３時間ｔ３まで設定される。ここで、前記ゼロ時間ｔ０は各ディミングフレームの開始時点として定義される。
【０１１９】
前記第４制御信号ＣＳ４のハイ区間は前記１番目のディミングフレームＤＦ１の全体区間として設定される。一方、前記第５及び第６制御信号ＣＳ５、ＣＳ６は前記１番目のディミングフレームＤＦ１でロー状態に維持される。
【０１２０】
したがって、前記１番目のディミングフレームＤＦ１において、前記第１〜第９光源ブロックＬＢ１〜ＬＢ９のうちで第１〜第３光源ブロックＬＢ１〜ＬＢ３のみがターンオンする。具体的には、前記第１光源ブロックＬＢ１は前記第１及び第４制御信号ＣＳ１、ＣＳ４のハイ区間が互いに重畳する区間、すなわちゼロ時間ｔ０から第１時間ｔ１の間ターンオンする。また、前記第２光源ブロックＬＢ２は前記第２及び第４制御信号ＣＳ２、ＣＳ４のハイ区間が互いに重畳する区間、すなわちゼロ時間ｔ０から第２時間ｔ２の間ターンオンする。前記第３光源ブロックＬＢ３は前記第３及び第４制御信号ＣＳ３、ＣＳ４のハイ区間が互いに重畳する区間、すなわちゼロ時間ｔ０から第３時間ｔ３までターンオンする。
【０１２１】
一方、２番目のディミングフレームＤＦ２が開始すると、前記第６制御信号ＣＳ６はロー状態を維持し、前記第４制御信号ＣＳ４をロー状態に転換され、前記第５制御信号ＣＳ５はハイ状態に転換される。前記第５制御信号ＣＳ５のハイ区間は前記２番目のディミングフレームＤＦ２の全体区間に設定される。
【０１２２】
前記２番目のディミングフレームＤＦ２において、前記第１制御信号ＣＳ１のハイ区間はゼロ時間ｔ０から第４時間ｔ４まで、前記第２制御信号ＣＳ２のハイ区間は前記ゼロ時間ｔ０から第５時間ｔ５まで、前記第３制御信号ＣＳ３のハイ区間は前記ゼロ時間ｔ０から第６時間ｔ６まで設定される。
【０１２３】
したがって、前記２番目のディミングフレームＤＦ２において、前記第１〜第９光源ブロックＬＢ１〜ＬＢ９のうちで第４〜第６光源ブロックＬＢ４〜ＬＢ６のみがターンオンする。具体的に、前記第４光源ブロックＬＢ４は前記第１及び第５制御信号ＣＳ１、ＣＳ５のハイ区間が互いに重畳する区間、すなわちゼロ時間ｔ０から第４時間ｔ４の間ターンオンする。また、前記第５光源ブロックＬＢ５は前記第２及び第５制御信号ＣＳ２、ＣＳ５のハイ区間が互いに重畳する区間、すなわちゼロ時間ｔ０から第５時間ｔ５の間ターンオンする。前記第６光源ブロックＬＢ６は前記第３及び第５制御信号ＣＳ３、ＣＳ５のハイ区間が互いに重畳する区間、すなわちゼロ時間ｔ０から第６時間ｔ６までターンオンする。
【０１２４】
３番目のディミングフレームＤＦ３が開始する、前記第４制御信号ＣＳ４はロー状態を維持し、前記第５制御信号ＣＳ５はロー状態に転換し、前記第６制御信号ＣＳ６はハイ状態に転換する。前記第６制御信号ＣＳ６のハイ区間は前記３番目のディミングフレームＤＦ２の全体区間に設定される。
【０１２５】
前記３番目のディミングフレームＤＦ３において、前記第１制御信号ＣＳ１のハイ区間はゼロ時間ｔ０から第７時間ｔ７まで、前記第２制御信号ＣＳ２のハイ区間は前記ゼロ時間ｔ０から第８時間ｔ８まで、前記第３制御信号ＣＳ３のハイ区間は前記ゼロ時間ｔ０から第９時間ｔ９まで設定される。
【０１２６】
したがって、前記３番目のディミングフレームＤＦ３において、前記第１〜第９光源ブロックＬＢ１〜ＬＢ９のうちで第７〜第９光源ブロックＬＢ７〜ＬＢ９のみがターンオンする。具体的に、前記第７光源ブロックＬＢ７は前記第１及び第６制御信号ＣＳ１、ＣＳ６のハイ区間が互いに重畳する区間、すなわちゼロ時間ｔ０から第７時間ｔ７の間ターンオンする。また、前記第８光源ブロックＬＢ８は前記第２及び第６制御信号ＣＳ２、ＣＳ６のハイ区間が互いに重畳する区間、すなわちゼロ時間ｔ０から第８時間ｔ８の間ターンオンする。前記第９光源ブロックＬＢ９は前記第３及び第６制御信号ＣＳ３、ＣＳ６のハイ区間が互いに重畳する区間、すなわちゼロ時間ｔ０から第９時間ｔ９までターンオンする。
【０１２７】
このように、前記第４〜第６制御信号ＣＳ４〜ＣＳ６のハイ区間を順次に発生させれば、前記第１〜第９光源ブロックＬＢ１〜ＬＢ９は各ディミングフレームＤＦ１、ＤＦ２、ＤＦ３ごとに３個の光源ブロックずつ順次に駆動させることができる。
【０１２８】
前記のように順次駆動方式を適用する場合、各ディミングフレームＤＦ１、ＤＦ２、ＤＦ３ごとに前記第１〜第３制御信号ＣＳ１〜ＣＳ３のハイ区間の幅に変更し、該当の光源ブロックのターンオン区間を制御することができ、その結果、各光源ブロックＬＢ１〜ＬＢ９から出射される光量を効果的且つ正確に制御することができる。
【０１２９】
図２０は、１番目〜３番目のディミングフレームによって動作するディミング領域を示す平面図である。
【０１３０】
図２０を参照すれば、前記液晶表示パネル２１０は前記光源ユニット１２０の第１〜第９光源ブロックＬＢ１〜ＬＢ９に各々対応する第１〜第９ディミング領域Ａ１〜Ａ９に分割される。前記液晶表示パネル２１０に定義されるディミング領域の個数は前記光源ブロックの個数によって変わりうる。すなわち、前記光源ユニット１２０に１２個の光源ブロックが具備されれば、前記液晶表示パネル２１０も１２個のディミング領域に分割される。
【０１３１】
前記ディミング回路１１２に印加されるディミング信号ＰＷＭが８ビットからなる場合、前記液晶表示パネル２１０に定義された前記第１〜第９ディミング領域Ａ１〜Ａ９に表示される画像を代表輝度値に換算すれば、０から２５５まで２５６個の輝度レベルで表現できる。本発明の一例として、前記第１〜第９ディミング領域Ａ１〜Ａ９のうちで第１〜第３ディミング領域Ａ１〜Ａ３は０レベルの代表輝度値を有し、第４ディミング領域Ａ４は６４レベルの代表輝度値を有し、第５ディミング領域Ａ５は１９１レベルの代表輝度値を有し、第６ディミング領域Ａ６は２４６レベルの代表輝度値を有し、第７ディミング領域Ａ７は２５０レベルの代表輝度値を有し、第８及び第９ディミング領域Ａ８、Ａ９は２５４レベルの代表輝度値を有する。
【０１３２】
一方、前記液晶表示パネル２１０の全体に１つの画像を実現するのにかかる時間を一画像フレームとして定義する時、前記画像フレーム内に連続する前記１番目〜３番目のディミングフレームを含むことができる。
【０１３３】
この場合、前記１番目のディミングフレームＤＦ１では前記第１〜第３光源ブロックＬＢ１〜ＬＢ３が動作して前記第１〜第３ディミング領域Ａ１〜Ａ３に光が供給される。次に、２番目のディミングフレームＤＦ２では前記第４〜第６光源ブロックＬＢ４〜ＬＢ６が動作して前記第４〜第６ディミング領域Ａ４〜Ａ６に光が供給される。最後に、３番目のディミングフレームＤＦ３では前記第７〜第９光源ブロックＬＢ７〜ＬＢ９が動作して前記第７〜第９ディミング領域Ａ７〜Ａ９に光が供給される。結局、前記画像フレームの間前記第１〜第９光源ブロックＬＢ１〜ＬＢ９は３個の光源ブロック単位で順次に駆動することができる。
【０１３４】
図２１は、本発明の他の実施形態に係る第１〜第６制御信号及び第１〜第９光源ブロックのターンオン区間を示すタイミング図である。図２１は第４〜第６制御信号のハイ区間の幅を除いては、図１９と類似している。
【０１３５】
図２１を参照すれば、前記１番目のディミングフレームＤＦ１において、前記第４制御信号ＣＳ４のハイ区間は前記第１〜第３制御信号ＣＳ１〜ＣＳ３のハイ区間のうちでその幅が最も長い信号のハイ区間と同一の幅を有する。結局、前記第４制御信号ＣＳ４は前記１番目のディミングフレームＤＦ１のゼロ時間ｔ０から第２時間ｔ２までに設定される。
【０１３６】
前記２番目のディミングフレームＤＦ２において、前記第５制御信号ＣＳ５のハイ区間も前記第１〜第３制御信号ＣＳ１〜ＣＳ３のハイ区間のうちでその幅が最も長い信号のハイ区間と同一の幅を有することができる。結局、前記第５制御信号ＣＳ５は前記２番目のディミングフレームＤＦ２のゼロ時間ｔ０から第６時間ｔ６までに設定される。
【０１３７】
前記３番目のディミングフレームＤＦ３において、前記第６制御信号ＣＳ６のハイ区間も前記第１〜第３制御信号ＣＳ１〜ＣＳ３のハイ区間のうちでその幅が最も長い信号のハイ区間と同一の幅を有することができる。結局、前記第６制御信号ＣＳ６は前記３番目のディミングフレームＤＦ３のゼロ時間ｔ０から第７時間ｔ７までに設定される。
【０１３８】
このように、前記第４〜第６制御信号ＣＳ４〜ＣＳ６のハイ区間の幅を各ディミングフレームＤＦ１〜ＤＦ３の全体区間に設定せず、第１〜第３制御信号ＣＳ１〜ＣＳ３のうちで最も大きいハイ区間の幅に対応するように設定することによって、前記バックライト装置の消費電力を減少させることができる。
【０１３９】
尚、本発明は、上述の実施形態に限られるものではない。本発明の技術的範囲から逸脱しない範囲内で多様に変更実施することが可能である。
【符号の説明】
【０１４０】
１００，１０５，１０８，１０９    バックライト装置
１１０，１５０    駆動回路
１１１    昇圧回路
１１２    ディミング回路
１２０，１２８，１２９    光源ユニット
１２１    発光ダイオード
１２２，１２５，１２７，１５１    印刷回路基板
１３０，１６０    第１スイッチング回路
１４０，１７０    第２スイッチング回路
１８０    導光板
２００    表示装置
２１０    液晶表示パネル
【図１】
2011237777.tif 000003
【図２】
2011237777.tif 000004
【図３】
2011237777.tif 000005
【図４】
2011237777.tif 000006
【図５】
2011237777.tif 000007
【図６】
2011237777.tif 000008
【図７】
2011237777.tif 000009
【図８】
2011237777.tif 000010
【図９】
2011237777.tif 000011
【図１０】
2011237777.tif 000012
【図１１】
2011237777.tif 000013
【図１２】
2011237777.tif 000014
【図１３】
2011237777.tif 000015
【図１４】
2011237777.tif 000016
【図１５】
2011237777.tif 000017
【図１６】
2011237777.tif 000018
【図１７】
2011237777.tif 000019
【図１８】
2011237777.tif 000020
【図１９】
2011237777.tif 000021
【図２０】
2011237777.tif 000022
【図２１】
2011237777.tif 000023